(57)【要約】【課題】入水中の入浴者に対して、快適な入浴感を的確に与えること。【解決手段】浴槽５内の湯水の温度および水位を調整する湯張り調整用制御手段Ｈが、湯水の検出温度が設定された目標温度でかつ湯水の検出水位が設定された目標水位となる目標湯張り状態に自動調整するキープ運転を、キープ運転開始時点からキープ運転終了時点になる間において、実行用設定時間が経過するごとに繰り返し実行するように構成され、浴槽５内に入浴者が存在する入水中であるか浴槽５内に入浴者が存在しない非入水中であるかを検出する入水検出手段２７が設けられ、湯張り調整用制御手段Ｈが、キープ運転として、入水中用のキープ運転と非入水中用のキープ運転とを実行可能で、かつ、入水検出手段２７の検出情報に基づいて、入水中であると入水中用のキープ運転を実行し、非入水中であると非入水中用のキープ運転を実行するように構成されている。【選択図】        図１
2004278979.tif 000002
【特許請求の範囲】
【請求項１】
浴槽内の湯水の温度および水位を調整する湯張り調整用制御手段が、湯水の検出温度が設定された目標温度でかつ湯水の検出水位が設定された目標水位となる目標湯張り状態に自動調整するキープ運転を、キープ運転開始時点からキープ運転終了時点になる間において、実行用設定時間が経過するごとに繰り返し実行するように構成されている風呂湯張り制御装置であって、
前記浴槽内に入浴者が存在する入水中であるか前記浴槽内に入浴者が存在しない非入水中であるかを検出する入水検出手段が設けられ、
前記湯張り調整用制御手段が、前記キープ運転として、入水中用のキープ運転と非入水中用のキープ運転とを実行可能で、かつ、前記入水検出手段の検出情報に基づいて、前記入水中であると前記入水中用のキープ運転を実行し、前記非入水中であると前記非入水中用のキープ運転を実行するように構成されている風呂湯張り制御装置。
【請求項２】
前記非入水中用のキープ運転は、前記実行用設定時間が経過するごとに前記キープ運転を行うように設定され、
前記入水中用のキープ運転は、前記浴槽内に入浴者が入水する入水開始を検出するに伴って、前記キープ運転を行ったのち、前記実行用設定時間が経過するごとに前記キープ運転を行うように設定されている請求項１に記載の風呂湯張り制御装置。
【請求項３】
前記非入水中用のキープ運転は、非入水中用の実行用設定時間が経過するごとに前記キープ運転を行うように設定され、
前記入水中用のキープ運転は、前記非入水中用の実行用設定時間よりも短い入水中用の実行用設定時間が経過するごとに前記キープ運転を行うように設定されている請求項１または２に記載の風呂湯張り制御装置。
【請求項４】
前記目標温度よりも高温の高温用目標温度または前記目標温度よりも低温の低温用目標温度を一時的に設定して、前記キープ運転を指令する目標温度一時設定手段が設けられ、
前記湯張り調整用制御手段は、前記目標温度一時設定手段にて前記キープ運転が指令されると、その目標温度一時設定手段にて設定された高温用目標温度または低温用目標温度を、前記目標温度として、前記キープ運転を行うように構成されている請求項３に記載の風呂湯張り制御装置。
【請求項５】
浴槽内の湯水の温度および水位を調整する湯張り調整用制御手段が、湯水の検出温度が設定された目標温度でかつ湯水の検出水位が設定された目標水位となる目標湯張り状態に自動調整するキープ運転を、キープ運転開始時点からキープ運転終了時点になる間において、実行用設定時間が経過するごとに繰り返し実行するように構成されている風呂湯張り制御装置であって、
前記浴槽内に入浴者が存在する入水中であるか前記浴槽内に入浴者が存在しない非入水中であるかを検出する入水検出手段が設けられ、
前記湯張り調整用制御手段は、前記キープ運転終了時点において前記入水検出手段にて前記入水中が検出される場合には、前記キープ運転終了時点を設定時間遅延させるように構成されている風呂湯張り制御装置。
【請求項６】
前記湯張り調整用制御手段は、前記キープ運転終了時点において前記入水検出手段にて前記非入水中が検出される場合には、前記キープ運転終了時点よりも設定時間以前の時点から前記キープ運転終了時点までの間に前記入水検出手段にて前記入水中が検出されていれば、前記キープ運転終了時点を設定時間遅延させるように構成されている請求項５に記載の風呂湯張り制御装置。
【請求項７】
前記湯張り調整用制御手段は、前記キープ運転終了時点において前記入水検出手段にて前記非入水中が検出される場合には、前記キープ運転終了時点よりも設定時間以前の時点から前記キープ運転終了時点までの間に前記入水検出手段にて前記入水中が検出されていなければ、キープ運転終了を報知するように構成されている請求項５または６に記載の風呂湯張り制御装置。
【請求項８】
前記キープ運転を実行させる時間の延長を指令する延長指令手段が設けられ、
前記湯張り調整用制御手段は、前記キープ運転終了時点において前記入水検出手段にて前記非入水中が検出される場合には、前記キープ運転終了時点よりも設定時間以前の時点から前記キープ運転終了時点までの間に前記入水検出手段にて前記入水中が検出されていなければ、キープ運転終了を報知しかつその報知から設定時間内に前記延長指令手段にて延長指令がなければ、前記キープ運転の実行を終了させるように構成されている請求項５〜７のいずれか１項に記載の風呂湯張り制御装置。
【発明の詳細な説明】
【０００１】
【発明の属する技術分野】
本発明は、浴槽内の湯水の温度および水位を調整する湯張り調整用制御手段が、湯水の検出温度が設定された目標温度でかつ湯水の検出水位が設定された目標水位となる目標湯張り状態に自動調整するキープ運転を、キープ運転開始時点からキープ運転終了時点になる間において、実行用設定時間が経過するごとに繰り返し実行するように構成されている風呂湯張り制御装置に関する。
【０００２】
【従来の技術】
上記のような風呂湯張り制御装置は、湯張り調整用制御手段が、キープ運転開始時点からキープ運転終了時点までの間において、実行用設定時間が経過するごとにキープ運転を繰り返し実行して、キープ運転開始時点からキープ運転終了時点までの間、浴槽内の湯水の湯張り状態を人為的に設定された目標湯張り状態に維持することにより、入浴者に快適な入浴感を与えるものである。
【０００３】
従来の風呂湯張り制御装置では、キープ運転の開始を指令するキープ運転開始スイッチが設けられ、そのキープ運転開始スイッチにてキープ運転の開始が指令された時点をキープ運転開始時点とし、そのキープ運転開始時点から設定時間が経過した時点をキープ運転終了時点として、湯張り調整用制御手段が、キープ運転開始スイッチにてキープ運転の開始が指令されてから設定時間が経過するまでの間において、実行用設定時間が経過するごとにキープ運転を繰り返し実行するように構成されている（例えば、特許文献１参照）。
【０００４】
【特許文献１】
特開平１１−２３０６１５号公報
【０００５】
【発明が解決しようとする課題】
しかしながら、上記従来の風呂湯張り制御装置では、湯張り調整用制御手段が、単純に、キープ運転開始スイッチにてキープ運転の開始が指令されてから設定時間が経過するまでの間において、実行用設定時間が経過するごとにキープ運転を繰り返し実行するだけであり、浴槽内に入浴者が存在するか否かにかかわらず、キープ運転が行われることになるので、入浴者に不快感を与えることがあった。
【０００６】
説明を加えると、入浴者が浴槽内への入水を開始すると、入浴者の体が冷えているので、浴槽内の湯水の温度が低下するが、入水開始しても、前回のキープ運転から実行用設定時間が経過するまでは、キープ運転が行われないので、入水開始してからしばらくは、入浴者に対して、目標温度よりも低い温度での入浴を強いることになり、入浴者に不快感を与えることになる。
また、浴槽内に入浴者が存在する入水中であっても、キープ運転開始スイッチにてキープ運転の開始が指令されてから設定時間が経過すると、キープ運転の実行が終了されるので、入浴中にキープ運転の実行が終了されることになり、この点からも、入浴者に不快感を与えることになる。
【０００７】
本発明は、かかる点に着目してなされたものであり、その目的は、入水中の入浴者に対して、快適な入浴感を的確に与えることができる風呂湯張り制御装置を提供する点にある。
【０００８】
【課題を解決するための手段】
この目的を達成するために、請求項１に記載の発明によれば、浴槽内の湯水の温度および水位を調整する湯張り調整用制御手段が、湯水の検出温度が設定された目標温度でかつ湯水の検出水位が設定された目標水位となる目標湯張り状態に自動調整するキープ運転を、キープ運転開始時点からキープ運転終了時点になる間において、実行用設定時間が経過するごとに繰り返し実行するように構成されている風呂湯張り制御装置において、
前記浴槽内に入浴者が存在する入水中であるか前記浴槽内に入浴者が存在しない非入水中であるかを検出する入水検出手段が設けられ、前記湯張り調整用制御手段が、前記キープ運転として、入水中用のキープ運転と非入水中用のキープ運転とを実行可能で、かつ、前記入水検出手段の検出情報に基づいて、前記入水中であると前記入水中用のキープ運転を実行し、前記非入水中であると前記非入水中用のキープ運転を実行するように構成されている。
【０００９】
すなわち、湯張り調整用制御手段は、入水中であると入水中用のキープ運転を実行し、非入水中であると非入水中用のキープ運転を実行するので、湯張り調整用制御手段は、入水中には、入水中用のキープ運転として、例えば、浴槽内に入浴者が入水する入水開始に伴って、キープ運転を行ったのち、実行用設定時間が経過するごとにキープ運転を行うことができ、非入水中には、非入水中のキープ運転として、例えば、実行用設定時間が経過するごとにキープ運転を行うことができることになる。
そして、湯張り調整用制御手段は、入水中には、入水中用のキープ運転として、浴槽内に入浴者が入水する入水開始に伴って、キープ運転を行ったのち、実行用設定時間が経過するごとにキープ運転を行うことによって、入浴者が浴槽内へ入水開始することにより、浴槽内の湯水の温度が目標温度よりも低下しても、その入水開始に伴って、キープ運転を行うことができ、低下した浴槽内の湯水の温度をすぐに目標温度まで上昇させることができることになる。
したがって、入水開始の直後から、入水中の入浴者に対して、快適な入浴感を与えることができることとなって、入水中の入浴者に対して、快適な入浴感を的確に与えることができる風呂湯張り制御装置を提供できるに至った。
【００１０】
請求項２に記載の発明によれば、前記非入水中用のキープ運転は、前記実行用設定時間が経過するごとに前記キープ運転を行うように設定され、前記入水中用のキープ運転は、前記浴槽内に入浴者が入水する入水開始を検出するに伴って、前記キープ運転を行ったのち、前記実行用設定時間が経過するごとに前記キープ運転を行うように設定されている。
【００１１】
すなわち、湯張り調整用制御手段は、入水中には、浴槽内に入浴者が入水する入水開始に伴って、キープ運転を行ったのち、実行用設定時間が経過するごとにキープ運転を行うことになり、非入水中には、実行用設定時間が経過するごとにキープ運転を行うことになるので、請求項１の発明において例示として述べた如く、入浴者が浴槽内へ入水開始することにより、浴槽内の湯水の温度が目標温度よりも低下しても、その入水開始に伴って、キープ運転を行うことができ、低下した浴槽内の湯水の温度をすぐに目標温度まで上昇させることができることになる。
したがって、入水開始の直後から、入水中の入浴者に対して、快適な入浴感を与えることができることとなって、入水中の入浴者に対して、快適な入浴感を的確に与えることができるものとなる。
【００１２】
請求項３に記載の発明によれば、前記非入水中用のキープ運転は、非入水中用の実行用設定時間が経過するごとに前記キープ運転を行うように設定され、前記入水中用のキープ運転は、前記非入水中用の実行用設定時間よりも短い入水中用の実行用設定時間が経過するごとに前記キープ運転を行うように設定されている。
【００１３】
すなわち、湯張り調整用制御手段は、入水中には、非入水中用の実行用設定時間が経過するごとにキープ運転を行うことになり、非入水中には、非入水中用の実行用設定時間よりも短い入水中用の実行用設定時間が経過するごとにキープ運転を行うことになるので、入水中には、非入水中よりも、短い間隔でキープ運転を繰り返し行うことができることになる。
したがって、入水中には、浴槽内の湯水の湯張り状態が目標湯張り状態から外れても、極力すぐにキープ運転を行うことができることになり、浴槽内の湯水の湯張り状態を目標湯張り状態に極力維持することができることとなって、入水中の入浴者に対して、より一層快適な入浴感を与えることができることになる。
【００１４】
請求項４に記載の発明によれば、前記目標温度よりも高温の高温用目標温度または前記目標温度よりも低温の低温用目標温度を一時的に設定して、前記キープ運転を指令する目標温度一時設定手段が設けられ、前記湯張り調整用制御手段は、前記目標温度一時設定手段にて前記キープ運転が指令されると、その目標温度一時設定手段にて設定された高温用目標温度または低温用目標温度を、前記目標温度として、前記キープ運転を行うように構成されている。
【００１５】
すなわち、湯張り調整用制御手段は、目標温度一時設定手段にてキープ運転が指令されると、湯水の検出温度が目標温度一時設定手段にて設定された高温用目標温度または低温用目標温度になるように浴槽内の湯水の温度を調整する状態で、キープ運転を行うことになるので、目標温度一時設定手段にて高温用目標温度または低温用目標温度が一時的に設定されたときには、入浴者に対して、高温用目標温度または低温用目標温度に応じた入浴感を与えることができることになる。
したがって、入水中の入浴者が目標温度よりも高温や低温での入浴を望むときには、その入浴者が目標温度一時設定手段にて高温用目標温度または低温用目標温度が一時的に設定することにより、その入浴者の要望に合う入浴感を与えることができることとなって、入水中の入浴者個々に対応する入浴感を与えることができ、快適性の向上を図ることができることになる。
【００１６】
請求項５に記載の発明によれば、浴槽内の湯水の温度および水位を調整する湯張り調整用制御手段が、湯水の検出温度が設定された目標温度でかつ湯水の検出水位が設定された目標水位となる目標湯張り状態に自動調整するキープ運転を、キープ運転開始時点からキープ運転終了時点になる間において、実行用設定時間が経過するごとに繰り返し実行するように構成されている風呂湯張り制御装置において、
前記浴槽内に入浴者が存在する入水中であるか前記浴槽内に入浴者が存在しない非入水中であるかを検出する入水検出手段が設けられ、前記湯張り調整用制御手段は、前記キープ運転終了時点において前記入水検出手段にて前記入水中が検出される場合には、前記キープ運転終了時点を設定時間遅延させるように構成されている。
【００１７】
すなわち、湯張り調整用制御手段は、キープ運転終了時点において入水検出手段にて入水中が検出される場合には、キープ運転終了時点を設定時間遅延させるので、湯張り調整用制御手段は、浴槽内に入浴者が存在する入水中であるときには、キープ運転終了時点から設定時間が経過するまで、キープ運転の実行を継続させることになる。
したがって、浴槽内に入浴者が存在する入水中には、キープ運転終了時点となっても、そのキープ運転終了時点から設定時間が経過するまで、キープ運転の実行を継続されるので、入浴者の入水中に、キープ運転の実行が終了されるのを阻止することができることとなって、入水中の入浴者に対して、快適な入浴感を的確に与えることができる風呂湯張り制御装置を提供できるに至った。
【００１８】
請求項６に記載の発明によれば、前記湯張り調整用制御手段は、前記キープ運転終了時点において前記入水検出手段にて前記非入水中が検出される場合には、前記キープ運転終了時点よりも設定時間以前の時点から前記キープ運転終了時点までの間に前記入水検出手段にて前記入水中が検出されていれば、前記キープ運転終了時点を設定時間遅延させるように構成されている。
【００１９】
すなわち、湯張り調整用制御手段は、キープ運転終了時点において入水検出手段にて非入水中が検出されている場合でも、キープ運転終了時点よりも設定時間以前の時点からキープ運転終了時点までの間に入水検出手段にて入水中が検出されていれば、キープ運転終了時点から設定時間経過するまで、キープ運転の実行を継続させることになる。
したがって、入浴者が一旦浴槽内から出て再度浴槽内に入水する予定があるときに、キープ運転の実行が終了されるのを阻止することができることになり、使い勝手のよいものとなる。
【００２０】
説明を加えると、例えば、入浴者が、浴槽内に入水したのち、一旦浴槽内から出て、再度浴槽内に入水するという入浴形態をとる場合には、キープ運転終了時点に入浴者が一旦浴槽内から出ていても、その直前には入浴者が浴槽内に入水しているので、キープ運転終了時点よりも設定時間以前の時点からキープ運転終了時点までの間に入水検出手段にて入水中が検出されていることになる。
したがって、キープ運転終了時点に入浴者が一旦浴槽内から出ていても、キープ運転終了時点から設定時間経過するまで、キープ運転の実行を継続させることになるので、入浴者が一旦浴槽内から出て再度浴槽内に入水する予定があるときには、キープ運転の実行が終了されるのを阻止することができることになる。
【００２１】
請求項７に記載の発明によれば、前記湯張り調整用制御手段は、前記キープ運転終了時点において前記入水検出手段にて前記非入水中が検出される場合には、前記キープ運転終了時点よりも設定時間以前の時点から前記キープ運転終了時点までの間に前記入水検出手段にて前記入水中が検出されていなければ、キープ運転終了を報知するように構成されている。
【００２２】
すなわち、湯張り調整用制御手段は、キープ運転の実行を終了させるときには、キープ運転終了を報知するので、入浴者は、その報知によって、キープ運転の実行が終了されることを認識することができることになる。
したがって、入浴者にキープ運転の実行が終了されることを認識させた状態で、キープ運転の実行を終了させることができることとなって、入浴者が、キープ運転の実行を継続させたいにもかかわらず、キープ運転の実行が終了されることを阻止することができ、使い勝手の向上を図ることができることになる。
【００２３】
請求項８に記載の発明によれば、前記キープ運転を実行させる時間の延長を指令する延長指令手段が設けられ、前記湯張り調整用制御手段は、前記キープ運転終了時点において前記入水検出手段にて前記非入水中が検出される場合には、前記キープ運転終了時点よりも設定時間以前の時点から前記キープ運転終了時点までの間に前記入水検出手段にて前記入水中が検出されていなければ、キープ運転終了を報知しかつその報知から設定時間内に前記延長指令手段にて延長指令がなければ、前記キープ運転の実行を終了させるように構成されている。
【００２４】
すなわち、キープ運転を繰り返し実行させる時間の延長を指令する延長指令手段が設けられているので、使用者が延長指令手段にて延長を指令することができることになり、使用者の意図によって、キープ運転を繰り返し実行させる時間を延長させることができることになる。
そして、湯張り調整用制御手段は、キープ運転終了を報知しかつその報知から設定時間内に延長指令手段にて延長指令がなければ、キープ運転の実行を終了させるので、キープ運転終了の報知によって、キープ運転を繰り返し実行させる時間を延長させる必要がないかを入浴者に対して確認して、キープ運転を繰り返し実行させる時間を延長させる必要がないことが確認できてはじめて、キープ運転の実行を終了させることができることになる。
したがって、入浴者に対してキープ運転を繰り返し実行させる時間を延長させる必要がないことが確認できた状態で、キープ運転の実行を終了させることができることとなって、非常に使いやすいものとなる。
【００２５】
【発明の実施の形態】
本発明にかかる風呂湯張り制御装置を風呂給湯装置に適応した例を図面に基づいて説明する。
この風呂給湯装置は、図１に示すように、一般家庭用の水道管に接続された給水路１からの水を加熱し、加熱後の湯水を先端に給湯栓２を備えた給湯路３に供給する給湯用熱交換器４と、浴槽５内の湯水を加熱して追焚きする追焚用熱交換器６とを備えている。
そして、これら給湯用熱交換器４と追焚用熱交換器６は、単一のガスバ−ナ７で加熱するように構成されている。
【００２６】
前記ガスバ−ナ７は、多段式のバ−ナで、一般家庭用の燃料ガスを供給するガス供給路８が３系統に分岐して接続され、それぞれのガス供給路８にガス切替え電磁弁９が設けられている。
そして、分岐箇所よりも上流側のガス供給路８には、燃料ガス供給量を調整する電磁式のガス比例弁１０、燃料ガスの供給を断続する断続弁１１などが設けられている。
前記ガスバ−ナ７に燃焼用空気を供給する燃焼用ファン１２も設けられ、ガスバ−ナ７の近くには、ガスバ−ナ７に対する点火動作を実行する点火用のイグナイタ、ガスバ−ナ７に着火されたか否かを検出するフレ−ムロッドなどが設けられている。
【００２７】
前記給水路１には、給水温度を検出する給水サ−ミスタ１３と給水量を検出する水量センサ１４とが設けられ、給水サ−ミスタ１３と水量センサ１４より下流側の給水路１と給湯路３とが、給湯用熱交換器４を迂回するように給水バイパス路１５を介して接続されている。
さらに、給湯路３には、上流側から順に、給湯用熱交換器４からの湯水の温度を検出する給湯サ−ミスタ１６と、給湯用熱交換器４からの湯量と給水バイパス路１５からの水量との混合比を調整するミキシング弁１７と、ミキシング弁１７により混合された後の湯水の温度を検出する出湯サ−ミスタ１８と、湯水の量を調整する水比例弁１９と、一般給湯の割込みを検出する割込み水量センサ２０とが設けられ、給湯用熱交換器４には、その給湯用熱交換器４内の湯水の温度を検出する沸騰防止用サ−ミスタ２１が設けられている。
【００２８】
前記ミキシング弁１７は、給水バイパス路１５と給湯路３との接続箇所に設けられていて、水比例弁１９と割込み水量センサ２０との間の給湯路３には、給湯路３からの湯水を浴槽５に供給するための風呂用の湯張り路２２が分岐接続されている。
前記追焚用熱交換器６には、浴槽５からの浴槽用戻り路２３と浴槽用往き路２４が接続され、浴槽用戻り路２３と浴槽用往き路２４とが循環路として構成されている。そして、浴槽用戻り路２３と浴槽用往き路２４とは、風呂アダプタ２５を介して浴槽５に接続され、浴槽用戻り路２３に設けられた循環ポンプ２６を駆動することにより、浴槽５内の湯水を浴槽用戻り路２３と浴槽用往き路２４を介して循環させながら、追焚用熱交換器６で追焚するように構成されている。
【００２９】
前記浴槽用戻り路２３には、上流側から順に、圧力を検出することによって浴槽５内の水位を検出する入水検出手段としての水位センサ２７と、浴槽５内の湯水の温度を検出する戻りサ−ミスタ２８と、浴槽用戻り路２３を開閉する電磁式の風呂２方弁２９と、湯水循環用の循環ポンプ２６と、水流スイッチ３０とが設けられ、浴槽用往き路２４には、浴槽用の往きサ−ミスタ３１が設けられている。
【００３０】
前記風呂用の湯張り路２２は、追焚用循環ポンプ２６と水流スイッチ３０との間の浴槽用戻り路２３に接続されている。この湯張り路２２には、上流側から湯張り路２２を開閉する湯張り電磁弁３２と、湯張り逆止弁３３とが設けられている。
前記湯張り電磁弁３２と湯張り逆止弁３３との間の湯張り路２２には、その湯張り路２２に連通する空気層形成用ホッパ３４が介装されている。この空気層形成用ホッパ３４には、湯水を排水する排水路３５と、その排水路３５を開閉する電磁式の排水弁３６とが設けられ、排水路３５の端部が風呂２方弁２９と循環ポンプ２６との間の浴槽用戻り路２３に接続されている。
【００３１】
風呂給湯装置の作動を制御する湯張り調整用制御手段としての制御部Ｈは、マイクロコンピュ−タを備え、台所などに設置されるメインリモコンＲ１と浴室などに設置される風呂リモコンＲ２との間で通信可能に構成されている。
前記メインリモコンＲ１には、運転の開始と停止を指令する運転スイッチ３７、自動運転を指令するとともに、キープ運転開始時点を指令する自動スイッチ３８、一般給湯用の目標温度を設定する温度設定スイッチ３９などが設けられている。
ちなみに、運転スイッチ３７および自動スイッチ３８は、照光式のスイッチにて構成され、ＯＮ／ＯＦＦを点灯／消灯で表示するようにしている。
【００３２】
前記風呂リモコンＲ２には、運転の開始と停止を指令する運転スイッチ４０、自動運転を指令するとともに、キープ運転開始時点を指令する自動スイッチ４１、浴槽５内の湯水の目標温度を設定する浴槽温設定スイッチ４２、浴槽５内の湯水の目標水位を設定する水位設定スイッチ４３などが設けられている。
ちなみに、運転スイッチ４０および自動スイッチ４１は、照光式のスイッチにて構成され、ＯＮ／ＯＦＦを点灯／消灯で表示するようにしている。
【００３３】
また、風呂リモコンＲ２には、目標温度よりも高温の高温用目標温度を一時的に設定して、キープ運転を指令する目標温度一時設定手段としてのあつくスイッチ４４、目標温度よりも低温の低温用目標温度を一時的に設定して、キープ運転を指令する目標温度一時設定手段としてのぬるくスイッチ４５が設けられている。
そして、あつくスイッチ４４が押されるたびに目標温度よりも設定温度（例えば、１℃）ずつ高い温度を高温用目標温度として設定し、逆に、ぬるくスイッチ４５が押されるたびに目標温度よりも設定温度（例えば、１℃）ずつ低い温度を低温用目標温度として設定するように構成されている。
【００３４】
前記制御部Ｈによる風呂給湯装置の制御動作について説明する。
まず、メインリモコンＲ１の運転スイッチ３７か、風呂リモコンＲ２の運転スイッチ４０を入れると、前記制御部Ｈが、制御可能な状態となり、給湯栓２を開操作することにより、給湯栓２から湯水を給湯する一般給湯運転制御を実行するように構成されている。
また、メインリモコンＲ１の自動スイッチ３８か、風呂リモコンＲ２の自動スイッチ４１をＯＮ操作することにより自動運転を実行し、この自動運転において、浴槽５内の湯水の検出温度が設定された目標温度でかつ浴槽５内の湯水の検出水位が設定された目標水位となる目標湯張り状態に自動調整するキープ運転を、キープ運転開始時点からキープ運転終了時点になる間において、実行用設定時間が経過するごとに繰り返し実行するように構成されている。
そして、メインリモコンＲ１の自動スイッチ３８か、風呂リモコンＲ２の自動スイッチ４１をＯＮ操作した時点を、キープ運転開始時点として、そのキープ運転開始時点から設定時間（例えば、１〜４時間）が経過した時点をキープ運転終了時点とするように構成されている。
【００３５】
前記一般給湯運転について説明を加えると、給湯栓２を開いて水量センサ１４による検出水量が所定量以上になると、燃焼用ファン１２を駆動した後、切替え電磁弁９を適宜切替えて断続弁１１を開弁し、ガス比例弁１０の開度を調整してイグナイタによりガスバ−ナ７に点火する。
そして、ガスバ−ナ７に着火されると、メインリモコンＲ１の温度設定スイッチ３９による目標温度、給水サ−ミスタ１３による検出水温、水量センサ１４による検出水量などに基づいて、切替え電磁弁９が切替えられるとともに、ガス比例弁１０の開度が調整され、かつ、ミキシング弁１７の開度も調整されて給湯温度が目標温度になるように、いわゆるフィードフォワード制御が実行される。
【００３６】
また、このフィードフォワ−ド制御とともに、メインリモコンＲ１の温度設定スイッチ３９による目標温度と出湯サ−ミスタ１８による検出湯温との偏差に基づいて、ガス比例弁１０の開度を微調整する、いわゆるフィ−ドバック制御が実行されて、温度設定スイッチ３９による目標温度の湯を給湯栓２から供給する。
このような、フィードフォワード制御とフィードバック制御が、給湯栓２を閉じて水量センサ１４が所定量の通水を検出しなくなるまで実行され、通水が検出されなくなると、ガス比例弁１０と断続弁１１を閉弁してガスバ−ナ７の燃焼を停止し、一定時間経過後に燃焼用ファン１２も停止して一般給湯運転を終了する。
【００３７】
前記自動運転について説明を加えると、浴槽５内の湯水の水位が設定された目標水位となるように、浴槽５内に湯水を供給する湯張り運転や、浴槽５内の湯水の温度が設定された目標水位となるように、浴槽５内の湯水を加熱する追焚き運転を行い、その後、実行用設定時間が経過するごとにキープ運転を繰り返し実行するように構成されている。
【００３８】
前記湯張り運転について説明を加えると、この湯張り運転は、上述の一般給湯運転と同様にガスバーナ７に点火して、フィードフォワード制御とフィードバック制御とにより浴槽５に目標温度の湯水を供給するように構成されている。
すなわち、ガス比例弁１０やミキシング弁１７の開度を調整して、給水路１からの水が給湯用熱交換器４で加熱され、加熱後の湯に給水バイパス路１５からの水が混合されて、風呂リモコンＲ２の浴槽温設定スイッチ４２による目標温度の湯水が湯張り路２２を介して浴槽用戻り路２３と浴槽用往き路２４に供給され、浴槽用戻り路２３と浴槽用往き路２４の両路から浴槽５内に供給される。
そして、水位センサ２７の検出水位が目標水位以上になると、ガス比例弁１０と断続弁１１が閉弁されてガスバーナ７の燃焼が停止され、一定時間経過後に燃焼用ファン１２も停止して浴槽５への湯張りを終了する。
なお、湯張り運転中に給湯栓２を開くと、割込み水量センサ２０が水流を検出し、湯張り運転を停止して一般給湯運転を実行する。つまり、一般給湯運転が優先され、給湯栓２を閉じると、再び湯張り運転が実行される。
【００３９】
前記追焚き運転について説明を加えると、上述の湯張り運転を終了すると、ホッパ３４内の湯水を、一定時間だけ排水弁３６を開弁して、排水路３５を介して浴槽用戻り路２３などに排出して、自動的に開始される。
そして、追焚用循環ポンプ２６を駆動させ、浴槽５内の湯水とホッパ３４から排出された湯水などを浴槽用戻り路２３と浴槽用往き路２４などを介して循環させ、戻りサーミスタ２８の検出温度が風呂リモコンＲ２の浴槽温設定スイッチ４２による目標温度に達していれば、追焚用循環ポンプ２６を停止し、目標温度に達していなければ、浴槽５内の湯水を加熱する。
【００４０】
そして、浴槽５内の湯水を加熱するときには、追焚用循環ポンプ２６の作動を開始し、水流スイッチ３０の水流検出に伴って、燃焼用ファン１２を駆動した後、切替え電磁弁９を適宜切替えて断続弁１１を開弁し、ガス比例弁１０の開度を調整してイグナイタによりガスバ−ナ７に点火し、ガスバ−ナ７の燃焼を開始させて、追焚用熱交換器６により浴槽５内の湯水を加熱する。
その後、戻りサ−ミスタ２８の検出温度が風呂リモコンＲ２の浴槽温設定スイッチ４２による目標温度に達すると、ガス比例弁１０と断続弁１１を閉弁させ、ガスバ−ナ７の燃焼を停止させて、一定時間経過後に燃焼用ファン１２を停止させて追焚き運転を終了する。
【００４１】
前記キープ運転について説明を加えると、このキープ運転は、実行用設定時間が経過するごとに、下記の動作を繰り返し実行するように構成されている。
すなわち、まず、循環ポンプ２６を駆動させて戻りサーミスタ２８により浴槽５内の湯水の温度を検出し、その検出温度が風呂リモコンＲ２の浴槽温設定スイッチ４２による目標温度よりも高いときには、湯張り電磁弁３２を開弁させて、循環ポンプ２６を駆動させた状態で給水路１からの水を給湯用熱交換器４で加熱することなく、湯張り路２２を介して浴槽用戻り路２３に供給し、追焚用熱交換器６で加熱することなく、浴槽用往き路２４から浴槽５に供給する。
そして、戻りサ−ミスタ２８による検出温度が設定温度になると、湯張り電磁弁３２を閉弁して浴槽５への水の供給を停止する。
【００４２】
その後、水位センサ２７により浴槽５内の湯水の水位を検出し、この検出水位が目標水位に達していないと、上述の湯張り運転と同様にして、浴槽５に目標温度の湯を供給し、水位センサ２７による検出水位が目標水位以上になると、浴槽５への湯の供給が停止される。
そして、追焚用循環ポンプ２６を駆動させ、浴槽５内の湯水を浴槽用戻り路２３と浴槽用往き路２４などを介して循環させ、戻りサ−ミスタ２８による検出温度が目標温度に達していれば、追焚用循環ポンプ２６を停止し、目標温度に達していなければ、上述の追焚運転と同様に追焚きが実行される。
【００４３】
前記制御部Ｈは、キープ運転として、浴槽５内に入浴者が存在する入水中用のキープ運転と浴槽５内に入浴者が存在しない非入水中用のキープ運転とを実行可能で、かつ、水位センサ２７の検出情報に基づいて、入水中であると入水中用のキープ運転を実行し、非入水中であると非入水中用のキープ運転を実行するように構成されている。
【００４４】
ちなみに、入水中であるか非入水中であるかの検出について説明を加えると、浴槽５内に入浴者が存在しているときには、浴槽５内の湯水の水位が目標水位よりも設定量以上上昇するので、制御部Ｈは、水位センサ２７の検出情報に基づいて、水位の上昇を取らえることによって、入水中であるか非入水中であるかを検出するように構成されている。
【００４５】
前記非入水中用のキープ運転は、非入水中用の実行用設定時間（例えば、１０分）が経過するごとにキープ運転を行うように設定されている。
前記入水中用のキープ運転は、浴槽５内に入浴者が入水する入水開始を検出するに伴って、キープ運転を行ったのち、非入水中用の実行用設定時間（例えば、１０分）よりも短い入水中用の実行用設定時間（例えば、２〜３分）が経過するごとにキープ運転を行うように設定されている。
【００４６】
また、制御部Ｈは、あつくスイッチ４４またはぬるくスイッチ４５が押されると、あつくスイッチ４４にて設定された高温用目標温度またはぬるくスイッチ４５にて設定された低温用目標温度を、目標温度として、キープ運転を行うように構成されている。
【００４７】
このようにして、入水中用のキープ運転と非入水中用のキープ運転とは、キープ運転を行うタイミングが異なるように設定され、キープ運転の動作自体は、上述した同様の動作を行うように構成されている。
【００４８】
前記制御部Ｈは、キープ運転終了時点において水位センサ２７にて入水中が検出される場合には、キープ運転終了時点を設定時間（例えば、５分）延長させるように構成されている。
そして、制御部Ｈは、キープ運転終了時点において水位センサ２７にて非入水中が検出される場合には、キープ運転終了時点よりも設定時間（例えば、５分）以前の時点からキープ運転終了時点までの間に水位センサにて入水中が検出されていれば、キープ運転終了時点を設定時間（例えば、５分）延長させるように構成されている。
【００４９】
また、制御部Ｈは、キープ運転終了時点において水位センサ２７にて非入水中が検出される場合には、キープ運転終了時点よりも設定時間（例えば、５分）以前の時点からキープ運転終了時点までの間に水位センサにて入水中が検出されていなければ、キープ運転終了を報知しかつその報知から設定時間（例えば、３０秒）以内に風呂リモコンＲ２の自動スイッチ４１にてキープ運転の延長指令がなければ、キープ運転の実行を終了させて、自動運転を終了させるように構成されている。
ちなみに、自動スイッチ４１は、自動運転中において、キープ運転を実行させる時間の延長を指令する延長指令手段として作用するように構成されている。
【００５０】
前記制御部Ｈの自動運転におけるキープ運転についての動作を、図２〜図４のフローチャートに基づいて説明を加える。
まず、メインリモコンＲ１の自動スイッチ３８か、風呂リモコンＲ２の自動スイッチ４１がＯＮ操作されると、制御部Ｈに内蔵されて常時計時作動される風呂自動タイマおよび実行用タイマをリセットする初期設定を行う（ステップ１）。
そして、風呂自動タイマの計時時間が設定時間（例えば、１〜４時間）となり、キープ運転終了時点となっているか否かを判別し、キープ運転終了時点となっていなければ、水位センサ２７にて入水中が検出される入水検知があるか否かを判別する（ステップ２，３）。
【００５１】
入水検知があるときには、入水中用のキープ運転を行い（ステップ４）、入水検知がないときには、非入水中用のキープ運転を行う（ステップ５）。
そして、風呂自動タイマの計時時間が設定時間（例えば、１〜４時間）となり、キープ運転終了時点となるまで、上述の動作を繰り返し、非入水中用のキープ運転を行っていても、水位センサ２７にて入水中が検出されると、入水中用のキープ運転を行うようにしている。
【００５２】
前記入水中用のキープ運転について説明を加えると、図３のフローチャートに示すように、入水開始が検出されると、キープ運転を行って、実行用タイマをリセットする（ステップ２１，２３，２４）。
そして、入水開始が検出されたあとにおいては、実行用タイマの計時時間が設定時間（例えば、２〜３分）になり、入水中用の実行用設定時間が経過するごとに、キープ運転を行って、実行用タイマをリセットする（ステップ２２〜２４）。
ちなみに、入水開始の検出については、入水開始時には、前回の入水開始から設定時間（例えば、５分）が経過していることから、水位センサ２７にて入水開始を検出することにより、入水履歴タイマをリセットするようにして、その入水履歴タイマの計時時間が設定時間（例えば、５分）以上となっていることにより、入水開始を検出するようにしている。
【００５３】
また、非入水中用のキープ運転について説明を加えると、図４のフローチャートに示すように、実行用タイマの計時時間が設定時間（例えば、１０分）になり、非入水中用の実行用設定時間が経過するごとに、キープ運転を行って、実行用タイマをリセットする（ステップ３１〜３３）。
【００５４】
そして、図２のフローチャートに示すように、風呂自動タイマの計時時間が設定時間（例えば、１〜４時間）となり、キープ運転終了時点となると、水位センサ２７にて入水中であるか非入水中であるかを検出する（ステップ２，６）。
入水中であるときには、キープ運転終了時点を設定時間（例えば、５分）遅延させ（ステップ７）、非入水中であっても、キープ運転終了時点よりも設定時間（例えば、５分）以前の時点からキープ運転終了時点までの間に水位センサにて入水中が検出されていて入水履歴があるときには（ステップ６，８）、キープ運転終了時点を設定時間（例えば、５分）遅延させる（ステップ７）。
ちなみに、入水履歴があるか否かの判別については、上述の入水開始の検出で述べた如く、水位センサ２７にて入水開始を検出することにより、入水履歴タイマをリセットするようにしているので、その入水履歴タイマの計時時間が設定時間（例えば、５分）となっていなければ、入水履歴ありと判別するようにしている。
【００５５】
また、非入水中であり、入水履歴もなければ、キープ運転の終了を報知し、その報知から設定時間（例えば、３０秒）以内に、自動スイッチ４１にて延長指令がなければ、キープ運転の実行を終了させて、自動運転スイッチ３８，４１を消灯させるようにしている。
ちなみに、キープ運転の終了の報知については、風呂リモコンＲ２に内蔵された警報ブザーを作動させたり、風呂リモコンＲ２の表示部にキープ運転の終了を表示するようにしている。
【００５６】
〔別実施形態〕
（１）上記実施形態では、水位センサ２７により入水中であるか非入水中であるかを検出することにより、入水検出手段を水位センサ２７にて構成するようにしているが、入水検出手段は、水位センサ２７に限られるものではなく、その他の構成を採用することも可能である。
例えば、図５に示すように、浴槽５内に湯水に接触可能な位置に複数の電極４６を設けて、その複数の電極４６に浴槽５内の湯水を介して誘導される心電信号に基づいて、入水中であるか非入水中であるかを検出するように構成して実施することも可能である。
【００５７】
（２）上記実施形態では、制御部Ｈが、入水中用のキープ運転と非入水中用のキープ運転とを実行可能で、かつ、入水中であると入水中用のキープ運転を行い、非入水中であると非入水中用のキープ運転を行う構成と、キープ運転終了時点において水位センサ２７にて入水中が検出される場合には、キープ運転終了時点を設定時間延長させる構成との両方を採用しているが、いずれか一方のみの構成を採用して実施することも可能である。
【００５８】
（３）上記実施形態では、非入水中用のキープ運転を、非入水中用の実行用設定時間（例えば、１０分）が経過するごとにキープ運転を行うように設定し、入水中用のキープ運転を、浴槽５内に入浴者が入水する入水開始を検出するに伴って、キープ運転を行ったのち、非入水中用の実行用設定時間（例えば、１０分）よりも短い入水中用の実行用設定時間（例えば、２〜３分）が経過するごとにキープ運転を行うように設定しているが、非入水中用のキープ運転および入水中用のキープ運転の運転内容については、適宜変更が可能である。
例えば、非入水中用のキープ運転を、実行用設定時間（例えば、１０分）が経過するごとにキープ運転を行うように設定し、入水中用のキープ運転を、入水開始を検出するに伴って、キープ運転を行ったのち、実行用設定時間（例えば、１０分）が経過するごとにキープ運転を行うように設定することができる。
【００５９】
（４）上記実施形態では、あつくスイッチ４４やぬるくスイッチ４５にて高温用目標温度や低温用目標温度を一時的に設定すると、その高温用目標温度や低温用目標温度を、目標温度として、キープ運転を行うようにしているが、あつくスイッチ４４やぬるくスイッチ４５を設けずに、常時、浴槽温設定スイッチ４２にて設定された温度を目標温度として、キープ運転を行うようにすることも可能である。
【００６０】
（５）上記実施形態では、キープ運転終了時点において水位センサ２７にて非入水中が検出されており、キープ運転終了時点よりも設定時間（例えば、５分）以前の時点からキープ運転終了時点までの間に水位センサにて入水中が検出されておらず、しかも、キープ運転終了の報知から設定時間（例えば、３０秒）以内に風呂リモコンＲ２の自動スイッチ４１にてキープ運転の延長指令がなければ、キープ運転の実行を終了させるようにしているが、キープ運転の実行をどのような条件下で終了させるかについては適宜変更が可能である。
例えば、キープ運転終了時点において水位センサ２７にて非入水中が検出されているだけで、キープ運転の実行を終了させることも可能であり、また、キープ運転終了時点において水位センサ２７にて非入水中が検出され、かつ、キープ運転終了時点よりも設定時間（例えば、５分）以前の時点からキープ運転終了時点までの間に水位センサにて入水中が検出されていなければ、キープ運転の実行を終了させることが可能である。
【００６１】
（６）上記実施形態では、本発明にかかる風呂湯張り制御装置を一般給湯運転を実行可能な風呂給湯装置に適応した例を示したが、風呂専用の給湯装置など各種の風呂給湯装置に適応することが可能である。
【図面の簡単な説明】
【図１】
風呂給湯装置の全体概略図
【図２】
自動運転におけるキープ運転についてのフローチャート
【図３】
入水中用のキープ運転についてのフローチャート
【図４】
非入水中用のキープ運転についてのフローチャート
【図５】
別実施形態における入水検出手段を示す図
【符号の説明】
５              浴槽
２７，４６      入水検出手段
４４，４５      目標温度一時設定手段
４１            延長指令手段
Ｈ              湯張り調整用制御手段
【図１】
2004278979.tif 000003
【図２】
2004278979.tif 000004
【図３】
2004278979.tif 000005
【図４】
2004278979.tif 000006
【図５】
2004278979.tif 000007